(57)【要約】【課題】作業性が良く、しかも不正行為に対して有効な前扉固定用ヒンジ部材を備えたパチンコ遊技機を提供する。【解決手段】可動ヒンジピン２０を、保持基体４１の筒状軸受４４と軸受４６とにより昇降可能に保持すると共に、杆挿通孔５２を介して側方から挿入されたピン操作杆２３と連繋させ、このピン操作杆２３の傾動操作により、テコの原理に従い鉛直方向に進退動作できるようにした。さらに、前扉７の遮閉状態で、ピン操作杆２３の操作端４７が、内枠４の前面壁１４に開口した規制開口４０に進入して内枠４の背面側に位置するようにすると共に、当該操作端４７に上方から傾動規制縁６６が当接して操作端４７の上方変位が拘束される構成とした。【選択図】図３
2007244694.tif 000002
【特許請求の範囲】
【請求項１】
遊技島に固設される外枠に枢設された内枠に固着され、前方に突出した部位にピン装着孔が設けられた突出板片と、
内枠の前方に配置される前扉に固着され、前記突出板片のピン装着孔に抜脱可能に挿入される可動ヒンジピンを具備するピン保持具と
で構成され、内枠に前扉を脱着可能に枢着させる前扉固定用ヒンジ部材を備えたパチンコ遊技機において、
前記ピン保持具は、
可動ヒンジピンを、その上下端で支持して昇降可能に保持するピン支持部及び該可動ヒンジピンの中腹に対向する杆挿通孔を備える保持基体と、
可動ヒンジピンを、ピン装着方向へ付勢して、前扉の遮閉状態で、該可動ヒンジピンの先端を突出板片のピン装着孔に嵌入した状態とする弾性体と、
前記杆挿通孔に挿通され、該杆挿通孔の内縁を支点にして上下に傾動すると共に、先端が可動ヒンジピンの中腹に連繋されて、前記傾動に伴い可動ヒンジピンを鉛直方向へ移動可能とし、末端の操作端をピン装着方向に変位させると可動ヒンジピンを弾性体の付勢力に抗して、ピン装着方向と反対のピン退避方向へ変位させることとなるピン操作杆と
を備えると共に、
内枠の前面壁に開口し、可動ヒンジピンを中心とする前扉の遮閉動作に伴ってピン操作杆が挿入され、その遮閉状態で該ピン操作杆の操作端に当接して、可動ヒンジピンの退避方向への傾動を拘束する傾動規制縁が形成された規制開口を備えたことを特徴とするパチンコ遊技機。
【請求項２】
内枠の前面壁に設けられた規制開口に、前扉の遮閉動作に伴ってピン操作杆の操作端を傾動規制縁に案内する傾斜案内縁が形成されてなることを特徴とする請求項１記載のパチンコ遊技機。
【請求項３】
規制開口が長孔状であって、
ピン操作杆の操作端の後端面に回転可能に枢支され、操作端の傾動規制縁と当接する当接面とほぼ面一となる挿入位置と、操作端の規制開口からの挿脱を不能とする係合位置とに回動変換され、前扉の遮閉状態で規制開口を通過して、その係合位置変換によりピン操作杆が規制開口から離脱することを不能とする異形留め具を備えたことを特徴とする請求項１又は請求項２記載のパチンコ遊技機。
【請求項４】
遊技島に固設される外枠に枢設された内枠に固着され、前方に突出した部位にピン装着孔が設けられた突出板片と、
内枠の前方に配置される前扉に固着され、前記突出板片のピン装着孔に抜脱可能に挿入される可動ヒンジピンを具備するピン保持具と
で構成され、内枠に前扉を脱着可能に枢着させる前扉固定用ヒンジ部材を備えたパチンコ遊技機において、
前記ピン保持具は、
可動ヒンジピンを、その上下端で支持して昇降可能に保持するピン支持部及び該可動ヒンジピンの中腹に対向する工具挿通孔を備える保持基体と、
可動ヒンジピンをピン装着方向へ付勢して、前扉の遮閉状態で該可動ヒンジピンの先端を突出板片のピン装着孔に嵌入した状態とする弾性体と
を備えると共に、
可動ヒンジピンの中腹に、そのピン径に対して外径を異ならせた工具操作用係合段部が形成されてなることを特徴とするパチンコ遊技機。
【発明の詳細な説明】
【技術分野】
【０００１】
本発明は、外枠に枢設された内枠と、内枠の前方に配置される前扉とを開閉可能に枢着させる前扉固定用ヒンジ部材を備えたパチンコ遊技機に関するものである。
【背景技術】
【０００２】
パチンコ遊技機は、遊技島に固設される矩形状の外枠と、外枠に内枠固定用ヒンジ部材を介して開閉可能に枢設される内枠と、内枠の前面に前扉固定用ヒンジ部材を介して枢設される前扉とを備えている。前記内枠は、その枠内に遊技盤が装着されると共に、その前面に、遊技球を貯留する下受け皿及び遊技者が発射操作をする発射ハンドル等が設けられている。また、前記前扉には、遊技盤を視認可能とする透視窓部等が中央に設けられている。
【０００３】
ここで、前扉固定用ヒンジ部材は、一般的に内枠及び前扉に上下一対の態様で取付けられるものであり、通常、上側に配される前扉固定用ヒンジ部材は、内枠に固着された突出板片と、前扉に固着されたピン保持具とで構成されている。そして、前記突出板片にはピン装着孔が形成されていると共に、前記ピン保持具は、上下方向に進退する可動ヒンジピンを備えている。そして、この可動ヒンジピンを進退制御して、ピン装着孔に当該可動ヒンジピンを下方から嵌入することにより、内扉の上部と前扉の上部とが脱着可能に枢着される。
【０００４】
ところで、このような可動ヒンジピンが進退する前扉固定用ヒンジ部材にあっては、前扉が遮閉されている状態で可動ヒンジピンを外部から操作し、当該前扉を離脱させるという不正行為に対処しなければならないことは良く知られている。そこで、このような不正行為に対する防御策として、次のような構成が提案されている（例えば、特許文献１、及び特許文献２参照。）。
【０００５】
特許文献１で開示される構成は、ガラス扉（前扉）の裏面側に、Ｌ字形スライドヒンジピンを上方へ付勢した状態で上下移動可能に保持し、かつ凹形状のスライド規制部が形成された取付板を配設したものである。かかる構成にあって、ガラス扉を遮閉すると、スライドヒンジピンと取付板とが係合してスライドヒンジピンの一端がスライド規制部内に位置し、当該スライドヒンジピンの移動が規制される。このため、スライドヒンジピンは外部からの操作によっても上下動せず、外部からの不正を防止し得る。また、かかる構成は、スライドヒンジピンに装着されたスプリングの弾性力（付勢力）を変更することによりスライドヒンジピンと上部取付板との係合強度を設定することができるものであるところ、スプリングの弾性力を高めて相互の係合強度を向上させることにより、上部ピン挿通孔からスライドヒンジピンを抜け難くすることができる。
【０００６】
また、特許文献２の構成は、基枠（内枠）の前面側に凹形状の係合凹部を形成したものである。かかる構成にあって、ガラス枠（前扉）を遮閉すると、ヒンジピンの一端が係合凹部に進入してヒンジピンの移動が規制される。これにより、ガラス枠が基枠に対して係合し、開放不能に保持されることとなる。
【０００７】
【特許文献１】特開２００４−３０５５８４号公報
【特許文献２】特開２００２−２１９２５３号公報
【発明の開示】
【発明が解決しようとする課題】
【０００８】
しかしながら、上記のような従来構成には、次のような問題があった。
１）特許文献１に係る構成にあっては、係合強度を向上させるためにスプリングの弾性力を高めた場合、例えば製造段階や遊技店にてガラス扉を脱着するときに、作業者がガラス扉を取り外し難くなり、作業者の負担が増加して作業性が低下してしまう。つまり、不正防止効果を高めようとすると脱着時の作業性が低下するものであり、不正防止の効果と作業性とを両立できないものであった。
２）特許文献２に係る構成にあっては、ガラス枠が少し開放されてガラス枠の裏面と基枠の前面との間に間隙が生じると、その間隙を介して外部からヒンジピンを操作することが可能となる。そして、このヒンジピンを不正に少し回動させてやれば、取付板又は係合凹部から当該ヒンジピンが離脱して係合が解除されることとなる。なお、一般的にガラス枠は合成樹脂又は金属で構成されているため、たとえその両端が施錠部又はヒンジ部材で固定されていても、当該ガラス枠を前方から強い力で強制的に引き出すと、ガラス枠全体が撓んで基枠との間に間隙が生じてしまう。
【０００９】
そこで本発明は、上記問題を解決することができるパチンコ遊技機を提供することを目的とする。
【課題を解決するための手段】
【００１０】
本発明は、遊技島に固設される外枠に枢設された内枠に固着され、前方に突出した部位にピン装着孔が設けられた突出板片と、内枠の前方に配置される前扉に固着され、前記突出板片のピン装着孔に抜脱可能に挿入される可動ヒンジピンを具備するピン保持具とで構成され、内枠に前扉を脱着可能に枢着させる前扉固定用ヒンジ部材を備えたパチンコ遊技機において、前記ピン保持具は、可動ヒンジピンを、その上下端で支持して昇降可能に保持するピン支持部及び該可動ヒンジピンの中腹に対向する杆挿通孔を備える保持基体と、可動ヒンジピンを、ピン装着方向へ付勢して、前扉の遮閉状態で、該可動ヒンジピンの先端を突出板片のピン装着孔に嵌入した状態とする弾性体と、前記杆挿通孔に挿通され、該杆挿通孔の内縁を支点にして上下に傾動すると共に、先端が可動ヒンジピンの中腹に連繋されて、前記傾動に伴い可動ヒンジピンを鉛直方向へ移動可能とし、末端の操作端をピン装着方向に変位させると可動ヒンジピンを弾性体の付勢力に抗して、ピン装着方向と反対のピン退避方向へ変位させることとなるピン操作杆とを備えると共に、内枠の前面壁に開口し、可動ヒンジピンを中心とする前扉の遮閉動作に伴ってピン操作杆が挿入され、その遮閉状態で該ピン操作杆の操作端に当接して、可動ヒンジピンの退避方向への傾動を拘束する傾動規制縁が形成された規制開口を備えたことを特徴とするパチンコ遊技機である。
【００１１】
本発明に係る可動ヒンジピンは、前扉の分離状態で作業者により進退制御が可能であり、具体的にはピン操作杆の操作端を把持して当該ピン操作杆を傾動操作すると、テコの原理によって可動ヒンジピンがピン装着方向又は退避方向に進退するものである。かかる構成にあって、前扉を内枠に装着するには、まずピン操作杆の操作端をピン装着方向に変位させ、可動ヒンジピンの先端をピン装着孔に対して退避させておく。そして、その退避状態を維持したまま、前扉の軸側の側縁を内枠の軸側の側縁に近接させると共に、可動ヒンジピンとピン装着孔の各軸線を一致させる。そして、かかる状態で当該操作端を手放すと、弾性体の付勢に従って可動ヒンジピンがピン装着方向へ突出してピン装着孔に嵌入し、突出板片とピン保持具とが係合することとなる。ここで、この可動ヒンジピンとピン装着孔との係合強度は、弾性体の付勢力に依存することとなる。具体的には、弾性体によるピン装着方向への付勢力が増すと、可動ヒンジピンの先端の突出高さが高くなるため、枢着時に可動ヒンジピンがピン装着孔内へより深く嵌入することとなり、前扉に付与された衝撃等で可動ヒンジピンがピン装着孔から脱落してしまうこと等が防止される。
【００１２】
ここで、このピン操作杆の操作は、テコの原理を利用するものであるため、ピン装着孔との係合強度を向上させるべく弾性体の付勢力を増加させた場合でも、作業者は操作端に小さな操作力を付与すれば容易に弾性体の付勢力に抗して可動ヒンジピンを退避させることができる。
【００１３】
さらに、本発明にあっては、前扉を内枠に対して遮閉すると、その遮閉過程でピン操作杆の操作端が、前扉の遮閉動作に伴って水平に回動し、内枠前面に設けられた規制開口へ進入する構成としている。そして当該操作端は、規制開口を通過して傾動規制縁に当接し、内枠の背面側に位置することとなる。かかる状態にあっては、ピン操作杆の操作端は傾動規制縁によりピン装着方向への変位が不能となるため、可動ヒンジピンが退避動作をすることがない。したがって、かかる規制開口を設けることにより、前扉の遮閉状態で可動ヒンジピンがピン装着孔から意図せず離脱することを防止することができる。さらに、上述のように、可動ヒンジピンを上下動制御するための操作端を、前扉の遮閉状態で内枠の背面空間に位置させることにより、前扉と内枠との間に仮に間隙が生じた場合でも該間隙を介して外部から操作端を操作することができず、不正行為を防止することができる。したがって、本発明は、前扉の脱着作業が容易であると共に、不正行為に対しても有効な構成である。
【００１４】
なお、前扉固定用ヒンジ部材は、内枠及び前扉の各上部に配設されても良いし、各下部に配設されても良い。ただし、上部に設けられた場合と下部に設けられた場合とでは、ピン装着方向は鉛直方向において上下が逆転することとなる。すなわち、内枠及び前扉の上部に設けられた場合は、可動ヒンジピンの先端は上方に突出し、ピン操作杆の操作により下方へ退避する。これに対し、内枠及び前扉の下部に設けられた場合は、可動ヒンジピンの先端は下方に突出し、ピン操作杆の操作により上方へ退避する。
【００１５】
また、内枠の前面壁に設けられた規制開口に、前扉の遮閉動作に伴ってピン操作杆の操作端を傾動規制縁に案内する傾斜案内縁が形成しても良い。
【００１６】
かかる構成とすることにより、ピン保持具の組み付けに若干ガタつきが生じた場合、又は規制開口の配置に若干誤差があった場合でも、前扉を遮閉する過程にあって、ピン操作杆は傾斜案内縁による案内作用を受けながら規制開口へ進入することとなり、円滑にピン操作杆の操作端を傾動規制縁に誘導することが可能となる。
【００１７】
また、規制開口が長孔状であって、ピン操作杆の操作端の後端面に回転可能に枢支され、操作端の傾動規制縁と当接する当接面とほぼ面一となる挿入位置と、操作端の規制開口からの挿脱を不能とする係合位置とに回動変換され、前扉の遮閉状態で規制開口を通過して、その係合位置変換によりピン操作杆が規制開口から離脱することを不能とする異形留め具を備えた構成が提案される。
【００１８】
かかる構成の異形留め具は、その支軸を中心に外径が周方向に変化しており、前扉を遮閉する際には、操作端の当接面と面一となる態様の前記挿入位置とする。かかる態様にあっては、異形留め具の外縁が規制開口からはみ出すことがないため、前扉の遮閉過程で異形留め具が操作端と共に規制開口を通過することとなる。次に、異形留め具が規制開口を通過して内枠の背面側に位置した後は、今度は異形留め具を係合位置に回動変換する。そうすると、当該規制開口の長軸方向に対して異形留め具が交差状に位置することとなり、当該異形留め具が規制開口を通過不能となって操作端が規制開口から離脱不能となる。要は、かかる異形留め具は、操作端が規制開口から離脱することを防止するロック機能を果たすものである。
【００１９】
また、本発明は、遊技島に固設される外枠に枢設された内枠に固着され、前方に突出した部位にピン装着孔が設けられた突出板片と、内枠の前方に配置される前扉に固着され、前記突出板片のピン装着孔に抜脱可能に挿入される可動ヒンジピンを具備するピン保持具とで構成され、内枠に前扉を脱着可能に枢着させる前扉固定用ヒンジ部材を備えたパチンコ遊技機において、前記ピン保持具は、可動ヒンジピンを、その上下端で支持して昇降可能に保持するピン支持部及び該可動ヒンジピンの中腹に対向する工具挿通孔を備える保持基体と、可動ヒンジピンをピン装着方向へ付勢して、前扉の遮閉状態で該可動ヒンジピンの先端を突出板片のピン装着孔に嵌入した状態とする弾性体とを備えると共に、可動ヒンジピンの中腹に、そのピン径に対して外径を異ならせた工具操作用係合段部が形成されてなることを特徴とするパチンコ遊技機である。
【００２０】
かかる構成にあって、所定長さの工具が工具挿通孔から挿入され、この工具挿通孔の内縁を支点にしてその先端により工具操作用係合段部の端面が上下方向に押圧されると、可動ヒンジピンはこの工具操作に伴い鉛直方向に移動することとなる。ここで、例えば工具の手元部がピン装着方向に変位すると、テコの原理により、工具先端は工具操作用係合段部をピン装着孔とは反対の方向へ押圧することとなり、これに連繋された可動ヒンジピンは弾性体の付勢力に抗してピン装着孔に対し退避する。かかる構成にあって、作業者が前扉を内枠に枢着させる際には、工具を工具挿通孔に挿通してから工具操作用係合段部を上下操作して可動ヒンジピンの先端をあらかじめピン装着孔に対して退避させておく。そして、適正位置で工具を工具挿通孔から抜き出して工具操作用係合段部の押圧を解除して可動ヒンジピンを挿入方向に突出させて、ピン装着孔に嵌入させる。ここで、かかる工具操作は、テコの原理を利用しているため、小さな操作力で可動ヒンジピンを弾性体の付勢力に抗して容易に操作することができる。また、本発明にあっては、前扉遮閉状態で可動ヒンジピンの工具操作用係合段部が保持基体に内在するため、外部から可動ヒンジピンを退避動作させることができない。以上より本発明は、前扉の脱着作業が容易であると共に、不正行為に対しても有効な構成である。
【発明の効果】
【００２１】
本発明に係るパチンコ遊技機は、テコの原理を利用して可動ヒンジピンをピン装着孔に対し退避させ得るものとしたため、前扉の脱着作業につき作業者の負担が軽減され、作業性が向上する効果がある。また、本発明は、内枠前面に、前扉遮閉状態で前記ピン操作杆の操作端がピン装着方向へ変位することを拘束する規制開口を設けたため、前扉遮閉状態で可動ヒンジピンとピン装着孔との係合に係る保証を確保することができる。さらに前扉遮閉状態でピン操作杆の操作端が内枠の背面側に位置することとなるため、外部からの不正行為を困難なものとすることができる効果がある。
【００２２】
また、規制開口に傾斜案内縁を形成した場合は、前扉を遮閉する過程で、ピン操作杆の操作端を円滑に傾動規制縁に誘導することができる効果がある。
【００２３】
また、ピン操作杆の操作端の後端面に、挿入位置と係合位置とに回動変換される異形留め具を備えた構成とした場合は、前扉の遮閉状態で操作端が規制開口から離脱することを防止することができる効果がある。
【００２４】
また、本発明は、工具挿通孔に工具を挿通し、テコの原理を利用して可動ヒンジピンをピン装着孔に対して退避させることができる構成としたため、作業者の負担が軽減され、作業性が向上すると共に、工具を工具挿通孔から引き抜けば可動ヒンジピンを昇降することが不能となるため、外部からの不正行為を有効に防ぐことができる効果がある。
【発明を実施するための最良の形態】
【００２５】
<第一実施例>
本実施例におけるパチンコ遊技機１は、図１に示されるように、遊技島（図示省略）に起立状に固設される木製で長方形状の外枠２と、この外枠２の前面開口部分を覆う遊技機本体１５とで構成されている。
【００２６】
遊技機本体１５は、内枠４と前扉７とを具備している。内枠４は、ほぼ矩形状でアルミダイキャスト製の枠体であり、その左上角部、及び左下角部に内枠固定用ヒンジ部材３がそれぞれ配設され、これら内枠固定用ヒンジ部材３を介して外枠２へ開閉可能に枢設されている。この内枠固定用ヒンジ部材３は、公知の構成であり、内枠固定用ピン挿通孔（隠れて見えない）が形成された金属製の第一ヒンジ部材３ａと、内枠固定用ヒンジピン（隠れて見えない）が形成された金属製の第二ヒンジ部材３ｂとで構成されている。そして、内枠固定用ヒンジピンが内枠固定用ピン挿通孔に挿通されて、内枠４が外枠２に対して開閉可能に取付けらている。
【００２７】
また、内枠４は、その中央に、ほぼ正方形状の遊技盤収容開口１８（図２参照）が開口している。この遊技盤収容開口１８には、ほぼ正方形状の遊技盤１１が装着される。なお、この遊技盤１１の盤面には、遊技釘、図柄表示装置、及び遊技盤面部品等（図示省略）が配設された遊技領域が形成される。
【００２８】
また、内枠４の前面下部には、遊技球が貯留可能な下受け皿９が設けられている。この下受け皿９は、後述する上受け皿８で排出された遊技球が流入すると共に、その底部に形成された下皿球抜き口１７から遊技球を下方へ排出可能としている。
【００２９】
さらに、下受け皿９の右隣には、発射ハンドル２８が設けられている。この発射ハンドル２８には、発射レバー２９が回動可能に配設されており、遊技者がこの発射レバー２９を回動操作することにより、遊技球が遊技領域へ打ち出される構成となっている。
【００３０】
なお、遊技機本体１５は、上記構成のほか、内枠４の背面側に配設される裏機構板（図示省略）も備えている。この裏機構板には、例えば、遊技全般を制御する主制御基板と、賞球又は貸球の払出全般を制御する払出制御基板と、発射用駆動ソレノイドを駆動制御する発射制御基板と、各種制御基板へ駆動用電力を外部から分配供給する電源基板とが設けられている。また、前記遊技盤１１の裏面側には、図柄表示装置、音声出力装置、装飾用発光装置の出力を制御する演出制御基板が設けられている。
【００３１】
前扉７は、図１，２に示されるように、内枠４の前方に配置されるものであり、合成樹脂製の方形状板体で、前扉７の左上角部に配設された本発明に係る前扉固定用上側ヒンジ部材Ａ（図２参照）と、左下角部に配設された汎用の前扉固定用下側ヒンジ部材とにより、内枠４に対して開閉可能に装着されている。具体的には、図１に示される分離縁１３ａ〜１３ｄで前扉７が内枠４と分離し、その左端縁を中心に開放する。なお、前記前扉固定用上側ヒンジ部材Ａの構成については、後で詳述する。
【００３２】
また、前扉７は、その中央にほぼ円形の開口部２４が形成されている。この円形の開口部２４には、２枚の透明樹脂板１２で構成される透明板ユニット１９が背面側から装着されており、この透明板ユニット１９に係る透明樹脂板１２を介して、遊技者は前記遊技盤１１の遊技領域を視認することができる。
【００３３】
また、前扉７の前面であって開口部２４の周囲には、装飾カバー部材２５が固定されている。そして、この装飾カバー部材２５の前面下部に、裏機構板の払出装置から払い出された遊技球が流入する上受け皿８が形成されている。
【００３４】
次に、前扉固定用上側ヒンジ部材Ａと、前扉固定用下側ヒンジ部材とを図２等に従って説明する。
まず、前扉固定用下側ヒンジ部材について説明する。前扉固定用下側ヒンジ部材は、内枠４の左下角部に固着される金属製の内枠下端突出板片３５と、前扉７の左下角部（後述の金属製補強縁部材３０の下端）に設けられる金属製の前扉下端突出板片３３とで構成されている。
【００３５】
ここで、内枠下端突出板片３５は、内枠４の下端前面から前方へ突成され、その先端には、固定ヒンジピン３６が鉛直上方へ突成されている。これに対し、前扉下端突出板片３３は、前扉７の下端前面から前方へ突成され、その先端には、上下方向に開通したピン孔３４が形成されている。このピン孔３４は、前記固定ヒンジピン３６が挿入可能な孔径に設定されている。そして、図２に示されるように、内枠下端突出板片３５の固定ヒンジピン３６が、前扉下端突出板片３３のピン孔３４内へ挿通することにより、内枠４に前扉７の下端が開閉可能に枢着されることとなる。なお、内枠下端突出板片３５と前扉下端突出板片３３とを回動可能に係合させるヒンジ構造は、公知技術である。
【００３６】
次に、前扉固定用上側ヒンジ部材Ａについて説明する。なお、特に前扉固定用上側ヒンジ部材Ａにより、本発明に係る前扉固定用ヒンジ部材が構成される。
図２に示されるように、前扉固定用上側ヒンジ部材Ａは、内枠４の左上角部に固着される内枠上端突出板片５と、前扉７の左上角部に固着されるピン保持具１０ａとで構成されている。
【００３７】
前記内枠上端突出板片５は、薄板状であり、その板面が水平となる態様で内枠４の左上角部の前面に設けられている。具体的には、内枠上端突出板片５はＬ型金具で構成されており、一片が内枠４と外枠２との間で強固に挟持されることにより、他片が前方突出状に保持されている。また、この内枠上端突出板片５の先端には、上下方向に貫通してなるピン装着孔６が形成されている。このピン装着孔６は、後述する可動ヒンジピン２０が下方から挿入されるものであり、当該可動ヒンジピン２０の上端が挿入可能な孔径に設定されている。なお、この内枠上端突出板片５により、本発明に係る突出板片が構成される。
【００３８】
一方、前記ピン保持具１０ａは、前扉７の左側縁に配設された金属製補強縁部材３０の上端面３１の前面にビス４５（図３参照）を介して固定保持されている。なお、前記補強縁部材３０は、前扉７の遮閉状態で上端面３１が前方に向くように成形加工されている。また、ピン保持具１０ａは、後述するように、丸棒状の可動ヒンジピン２０を昇降可能に上下方向で支持しており、図３〜５に示されるように、この可動ヒンジピン２０が、内枠４のピン装着孔６に下方から嵌入することにより、内枠上端突出板片５と回動可能に係合するものである。
【００３９】
次に、ピン保持具１０ａについて説明する。
図７，８に示されるように、本発明に係るピン保持具１０ａは、縦断面ほぼコ字形の筐体（ケース体）により構成された透明樹脂製の保持基体４１を備えている。この保持基体４１は、断面Ｌ形の基体ブロック５０と、この基体ブロック５０の上面に被着される上面板５５とで構成され、内部に空隙αを備えている。
【００４０】
前記基体ブロック５０は、平面視ほぼ五角形で水平状のピン支持台部４２と、このピン支持台部４２の後端（図中右端縁）から鉛直上方に起立する杆支持立設部４３とを備えている。また、ピン支持台部４２は、図７において左端に位置する開放端に形成された軸受４６が設けられていると共に、この軸受４６に、図１０ａ，ｂに示されるように、上下方向に貫通した座孔５４が形成されている。
【００４１】
また、杆支持立設部４３は、後述するピン操作杆２３が乗載される。また、図８に示されるように、ピン支持台部４２上で杆支持立設部４３の奥側には、杆離脱防止立設部５６が配設されている。この杆離脱防止立設部５６は、このピン操作杆２３が保持基体４１から離脱することを防止するものである。
【００４２】
杆支持立設部４３及び杆離脱防止立設部５６の上面に支持された上面板５５の左端に位置する開放端には、筒状軸受４４が形成され、この筒状軸受４４に、上下方向に貫通したピン貫通孔４８が形成されている。なお、このピン貫通孔４８は、前記座孔５４と鉛直方向で同軸線上に配置されている。そして、可動ヒンジピン２０が、その上端をピン貫通孔４８に、下端を座孔５４に挿通され、筒状軸受４４と軸受４６とで昇降可能に支持されている。なお、筒状軸受４４と軸受４６とにより、本発明に係るピン支持部が構成される。
【００４３】
可動ヒンジピン２０の中腹には、ピン径ｄ（図８参照）より径小な縮径部５３が設けられており、この縮径部５３の上下端に可動ヒンジピン２０の長手方向にあって外径が異なる段部が形成されている。具体的に縮径部５３は、上面板５５とピン支持台部４２との間に配置されるように設けられている。
【００４４】
また、可動ヒンジピン２０の下方にも、ピン径ｄより径小なコイル装着部２６が設けられており、このコイル装着部２６の外周に、コイルバネ（弾性体）６０が外嵌されている。具体的に、このコイルバネ６０は、縮径部５３の直下の軸部６２の下面とピン支持台部４２の上面との間に介装され、可動ヒンジピン２０を上方に付勢している。なお、可動ヒンジピン２０の下端には、図１０ａ，ｂに示されるように、座孔５４の孔径より径大な止めネジ５８が下方から嵌着されており、座孔５４の孔縁と止めネジ５８とを係合させて可動ヒンジピン２０が座孔５４から上方へ抜脱することを防止している。
【００４５】
また、図８，９に示されるように、保持基体４１の背面であって、可動ヒンジピン２０の縮径部５３（すなわち、可動ヒンジピン２０の中腹）と対向する位置には、ほぼ水平方向に貫通した杆挿通孔５２が設けられている。本実施例にあっては、杆挿通孔５２は、杆支持立設部４３と上面板５５とのほぼ連成する部位に設けられている。
【００４６】
そしてさらに、図１０等に示されるように、この杆挿通孔５２には、長尺状で先端が側方に屈曲した薄板のピン操作杆２３が挿通されている。このピン操作杆２３の先端には、前記縮径部５３が嵌入可能な溝幅の連繋溝５７が形成され、当該先端を先端二股部４９としている。そして、この連繋溝５７内に可動ヒンジピン２０の縮径部５３が側方から嵌入されて、ピン操作杆２３と可動ヒンジピン２０とが連繋している。
【００４７】
また、ピン操作杆２３の中腹は、杆挿通孔５２の内縁６４で支持されている。なお、図９に示されるように、ピン操作杆２３は、杆挿通孔５２から引き抜こうとしても、先端二股部４９の後端３８が杆離脱防止立設部５６の前面に引っ掛かるため、杆挿通孔５２から抜脱することができない。そして、かかるピン保持具１０ａの構成にあって、図３に示されるように、杆支持立設部４３の背面が上端面３１に固定されると共に、ピン操作杆２３の末端である操作端４７は、上端面３１に開口した矩形開口３２を介して、外側方に突出している。かかる構成にあっては、ピン操作杆２３の長手方向は、前記上端面３１の面方向に対して垂直となる。
【００４８】
次に、ピン操作杆２３の傾動態様について説明する。
図１０ａ，ｂに示されるように、ピン操作杆２３は、前記内縁６４を支点にして上下に傾動する。そして例えば、図１０ｂに示されるように、ピン操作杆２３の操作端４７が上方に変位すると、先端二股部４９は反対に下方に変位する。そして、当該先端二股部４９が軸部６２の上面を下方へ押圧して、可動ヒンジピン２０はコイルバネ６０の付勢力に抗して下方に押し下げられる。これにより、前扉７装着時において、可動ヒンジピン２０の上端は内枠４のピン装着孔６に対して退避した状態となる。
【００４９】
一方、可動ヒンジピン２０の退避状態で、操作端４７の上方操作が解除されると、図１０ａに示されるように、コイルバネ６０の付勢力に従って、可動ヒンジピン２０の上端が上方へ突出し、ピン操作杆２３が元の水平状態に復帰する。
【００５０】
次に、本発明の要部に係る規制開口４０について、図３等に従って説明する。
図３に示されるように、内枠４の左上に位置する前面壁１４には、前後方向に貫通した規制開口４０が形成されている。この前面壁１４は、金属薄板により構成されており、規制開口４０の口縁は金属縁により構成されている。
【００５１】
前記規制開口４０は、横長孔形状であると共に、縦長（縦方向の開口寸法）が左右両側で異なっている。具体的には、左端の縦長が右端の縦長より短くなっている。すなわち、上側の口縁が、左端に配された水平な傾動規制縁６６と、この傾動規制縁６６に隣接し、左方に下方傾斜してなる傾斜案内縁６７と、右端に配された水平な右端口縁６８からなり、傾動規制縁６６は最も低い位置にあり、右端口縁６８は最も高い位置にあり、傾斜案内縁６７はその間の高さ位置にある。そして、後述するように、前扉７の遮閉状態で、この規制開口４０にピン操作杆２３の操作端４７が挿通される。
【００５２】
次に、前扉７を内枠４に装着する手順について説明する。
まず、上記前扉固定用下側ヒンジ部材を係合状態として、前扉７の左下角部を内枠４に枢着させる。次に、ピン操作杆２３の操作端４７を把持して上方に変位させて、図１０ｂに示されるような態様で可動ヒンジピン２０を退避状態とする。そして、かかる退避状態を維持したまま、前扉７の左上角部を内枠４の内枠上端突出板片５の直下に位置させて、可動ヒンジピン２０とピン装着孔６の各軸線を一致させる。そして、かかる状態でピン操作杆２３の操作端４７を手放し、コイルバネ６０の上方付勢に従い可動ヒンジピン２０の上端をピン装着孔６に嵌入する。これにより、前扉固定用上側ヒンジ部材Ａが係合状態となって、前扉７が内枠４に枢支される。
【００５３】
さらに、前扉７を遮閉状態にするには、図３〜５に示す矢印方向に前扉７を可動ヒンジピン２０を中心に回動させる。ここで、ピン操作杆２３は、上記上端面３１の面方向に対して垂直であるため、完全に前扉７が遮閉状態となると、図５に示されるように、後方へ突出する態様に変換される。さらに詳述すると、前扉７を内枠４に対して遮閉する過程にあっては、前扉７の回動動作に伴い、ピン操作杆２３も同方向へ水平に回動する。そして、図５に示されるように、その回動により、内枠４に設けられた前記規制開口４０へ操作端４７が進入することとなる。
【００５４】
ここで、この操作端４７は、規制開口４０進入時に、図６に示されるように、軸側に下方傾斜した傾斜案内縁６７にまず側縁４７ｂが当接し、その傾斜により下方へ案内作用を受けながら傾動規制縁６６に誘導される。ここで、傾動規制縁６６は、ピン操作杆２３が水平状態（図１０ａ参照）にあるときの操作端４７高さ位置よりもわずかに下方に偏位している。すなわち、ピン操作杆２３の操作端４７の上面にある当接面４７ａに、傾動規制縁６６が上方から当接する状態にあっては、内縁６４を支点にして先端二股部４９が若干上方に変位して可動ヒンジピン２０が上方に押し上げられた状態となる。
【００５５】
このように、傾動規制縁６６は、少なくとも操作端４７が上方に変位することを規制している。すなわち、操作端４７がそのように拘束されると、可動ヒンジピン２０が常時押し上げられ、可動ヒンジピン２０をピン装着孔６内へ確実に位置することとなる。なお、この傾動規制縁６６の形成位置は、可動ヒンジピン２０が退避状態となることを防止すべく、適宜設定されるものである。
【００５６】
なお、上記構成にあっては、操作端４７の側縁４７ｂをＲ形状として、円滑に操作端４７が傾動規制縁６６に進入可能とするようにしている。また、規制開口４０の右端口縁６８は、充分にその位置が高く設定されており、前扉７遮閉時に操作端４７が規制開口４０周縁に当接してしまって前扉７の遮閉を妨げてしまう、ということがない。また、上記構成は、操作端４７を傾動規制縁６６に誘導するための傾斜案内縁６７が形成された構成であるため、多少操作端４７が組み付け誤差等により水平な定常位置（図１０ａ参照）から上方に偏位していた場合でも、その誘導作用により前扉７の遮閉過程で円滑に操作端４７が傾動規制縁６６に到達することとなる。なお、本発明は、傾斜案内縁６７が形成されない構成を積極的に排除するものではない。
【００５７】
また、これまでに述べた構成は、前扉７遮閉時において、操作端４７が規制開口４０を介して内枠４の背面側に位置することとなるため、外部からこの操作端４７を操作することができず、これにより不正に可動ヒンジピン２０を離脱させることができない。
【００５８】
一方、前扉７を開放する場合は、操作端４７を傾動規制縁６６の位置から右端口縁６８の位置へ移動させつつ、前扉７を可動ヒンジピン２０を中心に開放する。そうすると、操作端４７が規制開口４０を通過して、内枠４の背面側から内枠４の前面側へ移動することとなる。さらに、前扉７を内枠４から離脱させるときは、操作端４７を上方に変位させて可動ヒンジピン２０を下方に押し下げてピン装着孔６に対して退避させ、ピン保持部１０を内枠上端突出板片５から離脱させる。
【００５９】
<第二実施例>
次に、第二実施例について説明する。なお、第一実施例と共通する構成については、説明を省略すると共に、図面において同じ符号を付すこととする。
【００６０】
本実施例に係る構成は、規制開口４０内に一旦進入したピン操作杆８２の操作端４７の抜脱を防止し得るものである。
図１１に示されるように、本実施例に係るピン保持部１０ｂのピン操作杆８２は、操作端４７の垂直な後端面６９に軸孔７５が開口している。この軸孔７５の軸線は、ほぼ水平状で、ピン操作杆８２の長手方向と一致している。さらに、この軸孔７５には、図１２，１３等に示されるように、後述する異形留め具８０に固着された回動軸７６が回動可能に嵌入される。なお、この回動軸７６の末端には、その軸径よりも径大な径大部７７が設けられており、回動軸７６が軸孔７５から軸線方向へ抜け落ちてしまうことを防止している。
【００６１】
次に、前記異形留め具８０について説明する。
異形留め具８０は、回動軸７６の軸線上に位置する円柱部８４と、軸線に対して側方に所定長さだけ延出された板片部８５とで構成されている。なお、図１１に示されるように、異形留め具８０の縦断面形状は、操作端４７の後端面６９形状とほぼ同じとなっている。
【００６２】
ここで、回動軸７６の軸長さは、前扉７が遮閉状態にあって、円柱部８４が規制開口４０を介して内枠４の背面側に位置する長さに設定されている。また、円柱部８４の外径は、規制開口４０の縦長よりわずかに小さく設定されており、規制開口４０を通過可能な大きさとなっている。また、板片部８５についても、その板厚は規制開口４０の縦長より小さく設定されていると共に、図１２ａに示されるような横倒しの態様で規制開口４０を通過可能な大きさ・形状に設定されている。
【００６３】
そして、この異形留め具８０は、回動軸７６を中心にして回動することにより、図１２ａ，ｂに示される態様に回動変換することとなる。具体的には、図１２ａに示されるような、板片部８５が水平状に保持されて、当該板片部８５の上下板面がピン操作杆８２の上面にある当接面４７ａと面一となる位置（挿入位置Ｘ）と、図１２ｂに示されるような、板片部８５が規制開口４０に対して交差状に保持される位置（係合位置Ｙ）とに回動変換される。
【００６４】
かかる構成にあって、前扉７を遮閉する過程にあっては、異形留め具８０を図１２ａに示される挿入位置Ｘとする。そして、かかる状態を維持して前扉７を回動すると、異形留め具８０は、規制開口４０の周縁に引っ掛かることなく、操作端４７と共に規制開口４０に進入し、通過する。そして、前扉７が完全に遮閉され、ピン操作杆８２の当接面４７ａが傾動規制縁６６に当接した状態となると、異形留め具８０を把持して回動し、図１２ｂに示される係合位置Ｙとする。そうすると、板片部８５の一側面である係止面８１と、規制開口４０の下側領域とが当接し、規制開口４０とピン操作杆８２とが係合状態となる。この係合状態を生じさせることにより、一度進入したピン操作杆８２が規制開口４０から抜け出てしまうことを防止することが可能となり、前扉７と内枠４との密着度を向上させ、相互に隙間を生じ難くする。
【００６５】
これに対し、前扉７を開放させる場合は、異形留め具８０を係合位置Ｙから挿入位置Ｘに変換させ。その後、前扉７を開放させつつ、規制開口４０から操作端４７を抜き出すこととなる。
【００６６】
なお、図１１等に示されるように、本実施例に係るピン操作杆８２の中腹には、両側方へ突出した係合凸部７２，７２が設けられており、保持基体４１内に収容された状態にあって、各係合凸部７２を杆挿通孔５２の両側孔縁と当接させ、ピン操作杆８２を杆挿通孔５２から抜け出ないようにしてピン操作杆８２と可動ヒンジピン２０との連繋が解除することを防止している。また、遊技島にパチンコ遊技機１を設置した後で、異形留め具８０を回動操作する場合は、まず外枠２に対して内枠４を開放し、内枠４の背面を作業者側に露出させてから行うこととなる。
【００６７】
<第三実施例>
本実施例に係る構成は、前扉７が遮閉状態にある場合に、ピン操作杆８７を所定位置まで引き抜き、可動ヒンジピン２０との連繋を解除可能としたものである。なお、第一、第二実施例と共通する構成については、説明を省略すると共に、図面において同じ符号を付すこととする。
【００６８】
図１４に示されるように、本実施例に係るピン保持具１０ｃにあっては、杆支持立設部４３の内側面８３で、杆挿通孔５２の側傍に、平面視正方形の水平支持突片８６が前方へ突出状に設けられている。この水平支持突片８６の上面は、杆挿通孔５２の底面と同じ高さとなっている。
【００６９】
かかる構成にあって、図１５ａに示されるように、ピン操作杆８７が杆挿通孔５２を介して保持基体４１内へ水平に押し込まれて、先端二股部４９が可動ヒンジピン２０の縮径部５３と係合すると、操作端４７の操作により可動ヒンジピン２０を進退させることができる。
【００７０】
一方、図１５ｂに示されるように、ピン操作杆８７が水平を維持したまま後方へ引き出されると、先端二股部４９の連繋溝５７から可動ヒンジピン２０の縮径部５３が抜け出ると共に、先端二股部４９が水平支持突片８６上に乗載され、その後端３８が杆支持立設部４３の内側面８３と当接し、ピン操作杆２３の後方移動が規制される。
【００７１】
ここで、図１５ｂに示されるような、ピン操作杆８７が可動ヒンジピン２０と連繋しない状態で、その操作端４７が上下に傾動操作されても、可動ヒンジピン２０との連繋が解除されているため、当該可動ヒンジピン２０は上下動しない。したがって、前扉７の遮閉状態で、ピン操作杆８７を引き抜き状態（図１５ｂ参照）としておけば、ピン操作杆８７が外部から不正に操作された場合でも、可動ヒンジピン２０が昇降せず、前扉７が離脱することがない。
【００７２】
一方、内枠４に枢支された前扉７を分離させるときは、ピン操作杆８７を前方に押し込んで先端二股部４９を可動ヒンジピン２０の縮径部５３と係合させ、操作端４７の操作により可動ヒンジピン２０を下方へ退避させる。そうすると、前扉７を内枠４から分離することができる。
【００７３】
なお、本実施例にあっては、ピン操作杆８７を後方移動させて可動ヒンジピン２０との連繋が解除されるように、先端二股部４９に形成された連繋溝５７の溝深さ、並びに、可動ヒンジピン２０と杆支持立設部４３との離間距離等が所定長さに設定される。
【００７４】
<第四実施例>
本実施例に係る構成は、ピン操作杆８８を工具として使用するものであり、当該ピン操作杆８８を前扉７の遮閉状態でピン保持具１０ｄから離脱させることができるものである。なお、第一から第三の実施例と共通する構成については、説明を省略すると共に、図面において同じ符号を付すこととする。
【００７５】
図１６，１７に示されるように、ピン保持具１０ｄに係る断面ほぼコ字形で内部に空隙αを備えた保持基体４１は、その杆支持立設部４３に工具挿通孔９１がほぼ水平方向に開口している。この工具挿通孔９１の孔幅は、後述のピン操作杆８８の先端二股部４９の横幅より広く設定され、当該先端二股部４９が通過可能となっている。なお、本実施例において、この工具挿通孔９１は、前扉７の遮閉状態で、遊技機本体１５の後方に向くこととなり、外部から不正行為を困難なものとしている。
【００７６】
さらに、本実施例に係る工具としてのピン操作杆８８は、先端二股部４９が他の実施例と異なり、主軸部８８ａに対して横方向に張り出した外形でなく、主軸部８８ａとほぼ同じ横幅に設定されている。
【００７７】
かかる構成にあって、図１７に示されるように、ピン操作杆８８が保持基体４１内へ工具挿通孔９１から水平に押し込まれて、先端二股部４９が可動ヒンジピン２０の縮径部５３と係合すると、操作端４７の上方操作によりピン操作杆８８が工具挿通孔９１の内縁を支点にして傾動し、その先端二股部４９によって可動ヒンジピン２０を下方に変位させてピン装着孔６に対して退避させることができる。
【００７８】
一方、図１６に示されるように、ピン操作杆８８を水平に維持したまま後方へ引き出すと、先端二股部４９の連繋溝５７から可動ヒンジピン２０の縮径部５３が抜け出ると共に、ピン操作杆８８が工具挿通孔９０を介して保持基体４１から完全に離脱する。
【００７９】
ここで、ピン操作杆８８が保持基体４１から引き抜かれた状態にあっては、相互の連携が解除されるため、可動ヒンジピン２０が上下動不能となる。このため、前扉７の遮閉状態でこのような非連繋状態とすると、可動ヒンジピン２０は常時ピン装着孔６内に嵌入した状態となるため、前扉７が内枠４から分離することがない。
【００８０】
一方、前扉７を内枠４から分離させるときは、ピン操作杆８８を工具挿通孔９０に挿通して先端二股部４９を可動ヒンジピン２０の縮径部５３と係合させ、操作端４７の上方操作により可動ヒンジピン２０をコイルバネ６０の付勢力に抗しながら下方へ変位させる。これにより、可動ヒンジピン２０が退避してピン装着孔６から抜脱し、前扉７が分離されることとなる。
【００８１】
なお、本実施例に係る上述の縮径部５３により、本発明（請求項４）に係る工具操作用係合段部が構成される。なお、この工具操作用係合段部は、可動ヒンジピン２０の中腹に形成されたピン径ｄより径大な径大部により構成しても良い。また、工具としては、上記実施例に係るピン操作杆８８に限定されず、例えばドライバーなどの工具を使用しても良い。
【００８２】
また、本発明は、上記実施例に限定されず、適宜変更され得るものである。
【図面の簡単な説明】
【００８３】
【図１】パチンコ遊技機１の外観斜視図である。
【図２】前扉固定用上側ヒンジ部材Ａ及び前扉固定用下側ヒンジ部材を示す斜視図である。
【図３】前扉固定用上側ヒンジ部材Ａを示す拡大斜視図である。
【図４】前扉７が開放状態にある場合の前扉固定用上側ヒンジ部材Ａを示す拡大平面図である。
【図５】前扉７が遮閉状態にある場合の前扉固定用上側ヒンジ部材Ａを示す拡大平面図である。
【図６】規制開口４０が形成された内枠４の拡大背面図である。
【図７】ピン保持具１０ａの外観斜視図である。
【図８】基体ブロック５０と上面板５５とを分離して示すピン保持具１０ａの分解斜視図である。
【図９】ピン保持具１０ａの横断面図である。
【図１０】ピン操作杆２３の傾動態様を示す説明図である。
【図１１】第二実施例に係るピン操作杆８２の分解斜視図である。
【図１２】異形留め具８０の回動態様を示す説明図であり、（ａ）は挿入位置Ｘ、（ｂ）は係合位置Ｙを示している。
【図１３】第二実施例に係るピン保持具１０ｂの横断面図である。
【図１４】第三実施例に係るピン保持具１０ｃの分解斜視図である。
【図１５】ピン操作杆８７の進退態様を示す説明図である。
【図１６】第四実施例に係るピン保持具１０ｄの分解斜視図である。
【図１７】第四実施例に係るピン保持具１０ｄの平面図である。
【符号の説明】
【００８４】
１  パチンコ遊技機
２  外枠
４  内枠
５  内枠上端突出板片
６  ピン装着孔
７  前扉
１０ａ〜１０ｄ  ピン保持具
１４  前面壁
２０  可動ヒンジピン
２３，８２，８７，８８  ピン操作杆
４０  規制開口
４１  保持基体
４４  筒状軸受（ピン支持部）
４６  軸受（ピン支持部）
４７  操作端
４７ａ  当接面
５２  杆挿通孔
５３  縮径部
６０  コイルバネ（弾性体）
６４  内縁
６６  傾動規制縁
６７  傾斜案内縁
６９  後端面
８０  異形留め具
９１  工具挿通孔
Ａ  前扉固定用上側ヒンジ部材
Ｘ  挿入位置
Ｙ  係合位置
【図１】
2007244694.tif 000003
【図２】
2007244694.tif 000004
【図３】
2007244694.tif 000005
【図４】
2007244694.tif 000006
【図５】
2007244694.tif 000007
【図６】
2007244694.tif 000008
【図７】
2007244694.tif 000009
【図８】
2007244694.tif 000010
【図９】
2007244694.tif 000011
【図１０】
2007244694.tif 000012
【図１１】
2007244694.tif 000013
【図１２】
2007244694.tif 000014
【図１３】
2007244694.tif 000015
【図１４】
2007244694.tif 000016
【図１５】
2007244694.tif 000017
【図１６】
2007244694.tif 000018
【図１７】
2007244694.tif 000019